(57)【要約】【課題】極細繊維からなる糸と保温繊維からなる糸を組み合わせて編成することにより、携帯端末のタッチスクリーン操作等に適しており、従来にない機能と使いやすさを実現した手袋を提供する。【解決手段】極細繊維からなる表糸と保温繊維からなる裏糸を組み合わせて編まれた手袋１０であって、極細繊維からなる表糸を編地表面側に配置させると共に保温繊維からなる裏糸を編地裏面側に配置させるように編成する。また、手袋１０の第一指部１２ａ、第二指部１２ｂ、第三指部１２ｃの各先端部１３ａ、１３ｂ、１３ｃに導電性繊維からなる糸を使用して編成する。【選択図】図１
2015108207.tif 000002
【特許請求の範囲】
【請求項１】
極細繊維からなる表糸と保温繊維からなる裏糸を組み合わせて編まれた手袋であって、前記極細繊維からなる表糸を編地表面側に配置させると共に前記保温繊維からなる裏糸を編地裏面側に配置させるように編成したことを特徴とする手袋。
【請求項２】
前記極細繊維からなる表糸は割繊後のポリエステルフィラメント糸が使用されていることを特徴とする請求項１に記載の手袋。
【請求項３】
前記極細繊維からなる表糸を１本又は２本以上使用して編成したことを特徴とする請求項１又は請求項２に記載の手袋。
【請求項４】
前記極細繊維からなる表糸が割繊後に任意の色に染色されており、前記極細繊維からなる異なる色の表糸を２本以上使用して編成したことを特徴とする請求項１又は請求項２に記載の手袋。
【請求項５】
前記手袋の第一指部、第二指部、第三指部の各先端部に導電性繊維からなる糸を使用して編成したことを特徴とする請求項１乃至請求項４に記載の手袋。
【発明の詳細な説明】
【技術分野】
【０００１】
本発明は、携帯端末のタッチスクリーン操作等に適しており、従来にない機能と使いやすさを実現した手袋に関するものである。
【背景技術】
【０００２】
近年においてはスマートフォン等の携帯端末が急激に普及しており、それに伴い携帯端末のタッチスクリーン操作等に適した手袋（所謂「スマホ対応手袋」）について、種々の商品が登場している。そして、これら商品の客観的な評価項目についてみると、操作性（タッチスクリーンをきちんと操作できるか）、指の数（２本、３本、５本）、温かさ（防寒性の高さ）、グリップ力（滑り落とさないような工夫があるか）、デザイン、価格などが挙げられているが、全ての評価基準を満足させるような商品は見当たらないのが現状であり、新たな商品開発が期待されている。
【０００３】
一方、従来から機能性を持たせた手袋については様々な開発が行われており、拭き取り性能やグリップ力を発揮する極細繊維を使用して裁断縫製した手袋に関して、以下に示すような発明が提案されている。
【０００４】
特願平９−８１６４８号公報（特許文献１）には、極細繊維使いにより得られる優れた拭き取り性を維持しながら、実質的に素手感覚のハンドリング性と実質性に蒸れを生じない快適性および制電性とを兼ね備えた作業用に適した手袋を提供することを目的とし、手の平側の少なくとも一部が単糸繊度１デニール以下の極細繊維マルチフィラメントと導電性マルチフィラメントとからなる通気度２０〜４０ｃｃ／ｃｍ2・ｓｅｃの布帛で構成されており、手の甲側の方が単糸繊度１．５〜２．５デニールの導電性マルチフィラメントからなる目付１５０〜２００ｇ／ｍ2、通気度３５０ｃｃ／ｃｍ2・ｓｅｃ以上の布帛で構成されているとともに、これら手の平側と手の甲側が立体的に裁断縫製されてなることを特徴とする「手袋」が提案されている。
【０００５】
また、特開２００９−１４２５２９号公報（特許文献２）には、グリップ力、フィット感、掌部の保護性、吸湿性、通気性、耐久性のすべてを兼ね備え、さらに、雨や水に強く、洗濯も可能なスポーツ用手袋を提供することを目的とし、単糸繊度が０．０２〜０．０８ｄｔｅｘ、総繊度が２０〜１００ｄｔｅｘの極細繊維マルチフィラメントを用いて製編した編地を、そのまま所定形状に裁断して縫製し、その後、撥水加工を施してなる「スポーツ用手袋」が提案されている。
【０００６】
また、実用新案登録第３１３９８７７号公報（特許文献３）には、クリーナー性能を高め、高級感を有する手袋を提供することを目的とし、宝飾品などの商品を取り扱う際に利用する手袋において、前記商品を取り扱う際に当該商品と当接する当接面に、１デニール以下の繊維にて構成した繊維基材を用いる「手袋」が提案されている。
【先行技術文献】
【特許文献】
【０００７】
【特許文献１】特願平９−８１６４８号公報
【特許文献２】特開２００９−１４２５２９号公報
【特許文献３】実用新案登録第３１３９８７７号公報
【発明の概要】
【発明が解決しようとする課題】
【０００８】
そこで、本発明は、本願出願人が鋭意検討した結果、極細繊維からなる糸と保温繊維からなる糸を組み合わせて編成することにより、携帯端末のタッチスクリーン操作等に適しており、従来にない機能と使いやすさを実現した手袋を提供することを目的とする。
【課題を解決するための手段】
【０００９】
上記の課題を解決するために、請求項１に記載の発明は、極細繊維からなる表糸と保温繊維からなる裏糸を組み合わせて編まれた手袋であって、前記極細繊維からなる表糸を編地表面側に配置させると共に前記保温繊維からなる裏糸を編地裏面側に配置させるように編成したことを特徴とする。
【００１０】
また、請求項２に記載の発明は、請求項１に記載の前記極細繊維からなる表糸は割繊後のポリエステルフィラメント糸が使用されていることを特徴とする。
【００１１】
また、請求項３に記載の発明は、請求項１又は請求項２に記載の前記極細繊維からなる表糸を１本又は２本以上使用して編成したことを特徴とする。
【００１２】
また、請求項４に記載の発明は、請求項１乃至請求項３に記載の前記極細繊維からなる表糸が割繊後に任意の色に染色されており、前記極細繊維からなる異なる色の表糸を２本以上使用して編成したことを特徴とする。
【００１３】
また、請求項５に記載の発明は、請求項１乃至請求項４に記載の前記手袋の第一指部、第二指部、第三指部の各先端部に導電性繊維からなる糸を使用して編成したことを特徴とする。
【発明の効果】
【００１４】
以上のように、本発明にかかる手袋によれば、編地表面側における拭き取り性能やグリップ力を良好に発揮すると共に、編地裏面側における保温性にも優れているので、携帯端末のタッチスクリーン操作等に適した使いやすい手袋を提供することができる。
また、極細繊維からなる表糸を１本又は２本以上使用して編成することにより、屋内での取り扱いに適した薄手の手袋から屋外での取り扱いに適した厚手の手袋まで用途に応じた手袋を提供することができる。
さらに、極細繊維からなる表糸が異なる色に染色されたものを２本以上組み合わせることにより、一色からなる極細繊維を使用した従来の手袋とは異なるデザインを生み出すことができる。
【図面の簡単な説明】
【００１５】
【図１】本発明にかかる手袋の一例を示す説明図である。
【図２】本発明にかかる手袋の編地の基本構成を示す部分拡大図である。
【図３】極細繊維（表糸）を１本使用した場合の組織編成概略図である。
【図４】極細繊維（表糸）を２本使用した場合の組織編成概略図である。
【発明を実施するための形態】
【００１６】
以下、本発明にかかる手袋の実施の一形態について図面を参酌しながら説明する。図１は、本発明にかかる手袋の一例を示す説明図である。
【００１７】
手袋１０は、着用者の手本体を覆うよう袋状に形成された本体部１１と、着用者の指を覆うよう本体部１１から延設された指先部１２と、着用者の手首を覆うよう本体部１１から指先部１２とは反対方向に延設された筒状の手首部１４とを有する。指先部１２は着用者の第一指（親指）、第二指（人差指）、第三指（中指）、第四指（薬指）及び第五指（小指）をそれぞれ覆う第一指部１２ａ、第二指部１２ｂ、第三指部１２ｃ、第四指部１２ｄ及び第五指部１２ｅを有している。この第一指部１２ａから第五指部１２ｅは、各指先側が閉塞された筒状に形成されている。また、手首部１４は、弾性糸（ゴム糸）を挿入して編成され着用者が手を挿入可能な開口部を有している。この手袋１０は、横編機を使用して、指先部１２、本体部及１１及び手首部１４の順序で編成される。
【００１８】
上記構成からなる手袋１０において、本発明の目的とする携帯端末のタッチスクリーン操作等に適しており、従来にない機能と使いやすさを実現した手袋を提供するため、手袋の編成に使用する繊維糸とその配置について以下の特徴を有している。
【００１９】
（表糸の構成）
本発明で用いられる極細繊維からなる表糸としては、例えば２種の異なる合成重合体からなる海島型複合繊維の海成分を溶解または分解除去することによって得ることができ、又は２種の異なる合成重合体からなる分割型複合繊維の各成分を剥離分割せしめることによって得ることができる。ここで、本発明で用いられる極細繊維からなる表糸を造るために使用される合成重合体は、例えば、ポリエステル、ポリアミド、ポリビニルアルコール、ポリオレフィンなどを例示することができ、なかでもポリエステルが特に好ましい。また、本発明で用いられる極細繊維からなる表糸の太さは、所謂「マイクロファイバー」と呼ばれているポリエステルなどを８マイクロメートル以下の細さに加工した超極細繊維を使用することが好ましい。なお、糸の太さにもよるがフィラメント数が多ければ多いほど吸水性、吸着性、防透性が向上し生地の肌触りが柔らかくなり皮膚への刺激も少なくなる。
【００２０】
極細繊維についての具体例を挙げると以下の通りである。
・極細繊維（ａ）：割繊後１６７ｄｔｅｘ／１７７６Ｆのポリエステルフィラメント糸からなる割繊糸（割繊後に染色可能）
・極細繊維（ｂ）：割繊後３９ｄｔｅｘ／８３６０Ｆのポリエステルフィラメント糸からなる割繊糸
・極細繊維（ｃ）：割繊後１６７ｄｔｅｘ／５２８Ｆのポリエステルフィラメント糸からなる割繊糸
上記割繊糸とは、ポリエステルの間にナイロンが入り込んである糸を意味しており、割繊（後加工）によってナイロン部分を溶かすことで、フィラメント数を増加させる。「ｄｔｅｘ（デシテックス）」は、糸の太さの単位であり、１００００ｍの糸の質量をグラム単位で表したものである。例えば、極細繊維（ａ）の「１６７ｄｔｅｘ」は、１００００ｍで１６７ｇであることを意味する。また、「Ｆ」はフィラメントを意味し、極細繊維（ａ）の「１７７６Ｆ」は１７７６本のフィラメントで糸が構成されているということを意味している。多数の極細繊維から構成されたマルチフィラメントは、その内部に無数の隙間を形成しており、汚れた表面を拭き取るとその拭き取られた油膜や汚れがマルチフィラメント内部の隙間へと移動するため、繰り返し拭き取ることができる。
【００２１】
（裏糸の構成）
本発明で用いられる保温繊維からなる裏糸としては、薄くて軽くて暖かい各種の保温素材を採用することができ、（１）遠赤外線蓄熱素材（遠赤外線放射セラミックスを練り込んだ繊維であった、人体が放射するエネルギーを吸収すると同時に繊維内のセラミックスからも遠赤外線放射に伴うエネルギーが放射され保温に優れた素材）、（２）発熱保温素材（繊維が水分を吸着すると水分子と繊維の間の親和力により熱を発生する素材）、（３）輻射熱反射保温素材（体内から放射される熱放射を外に逃がさないようにアルミニウムやチタンを繊維に塗布した素材）などを例示することができる。
【００２２】
保温繊維についての具体例を挙げると以下の通りである。
・保温繊維（ａ）：微粒子セラミックスを均一に繊維に練り込むことにより、遠赤外線の吸収・輻射作用を高めて繊維を温め保温する高機能繊維
・保温繊維（ｂ）：吸着熱により熱を発生させて繊維自身が発熱し体を温める高機能繊維
・保温繊維（ｃ）：微粒子コーヒーチャコールを繊維に練り込むことにより、遠赤外線効果を発揮する高機能繊維
【００２３】
（表糸と裏糸の配置）
本発明の目的とする携帯端末のタッチスクリーン操作等に適しており、従来にない機能と使いやすさを実現した手袋を提供するため、図２に示すように手袋の編成において極細繊維からなる表糸１を編地表面側に配置させると共に、保温繊維からなる裏糸２を編地裏面側に配置させるために、二本の糸を同時に引き込みながら表裏に編み分ける編み方であるプレーティング編みを採用する。これにより、極細繊維からなる表糸１と保温繊維からなる裏糸２のように異なる機能を有する糸を使用して複合機能を持たせた編地を編成することができる。
【００２４】
本発明にかかる手袋１０は、極細繊維からなる表糸を１本又は２本以上使用して編成することができる。表糸が１本（図３参照）の場合は、主に屋内作業に適している。従来、携帯ショップや時計眼鏡店などで店員は商品を取り扱う際に綿のニット生地を裁断し縫製して作製した手袋を着用しているが、本発明にかかる手袋１０によれば、編地表面側における拭き取り性能やグリップ力を良好に発揮するので  商品の取り扱いに適した薄手の手袋を提供することができる。また、表糸が２本（図４参照）又は３本の場合は、主に屋外用に適している。本発明にかかる手袋１０によれば、編地表面側における拭き取り性能やグリップ力（後述する試験結果に示すように従来品の手袋に比べて摩擦力が約２倍大きい）を良好に発揮すると共に、編地裏面側における保温性にも優れているので、屋外での携帯端末のタッチスクリーン操作等に適した使いやすい厚手の手袋を提供することができる。このように、薄手から厚手のものまで用途に応じた手袋を提供することができる。
【００２５】
本発明にかかる手袋１０は、極細繊維からなる表糸が割繊後に任意の色に染色されており、極細繊維からなる異なる色の表糸を２本以上使用して編成することができる。この場合、極細繊維については、上述した割繊後に染色可能な極細繊維（ａ）を使用する。これにより、一色からなる極細繊維を使用した従来の手袋とは異なるデザインを生み出すことができる。
【００２６】
本発明にかかる手袋１０の第一指部１２ａ、第二指部１２ｂ、第三指部１２ｃの各先端部１３ａ、１３ｂ、１３ｃには、携帯端末のタッチスクリーン操作のために導電性繊維からなる糸を使用して編成される。導電性繊維としては，（１）合成繊維の中に導電性のよい金属や黒鉛を均一に分散させたもの、（２）ステンレス鋼のような金属を繊維化した金属繊維，（３）有機物繊維の表面を金属で被覆したもの，（４）有機物繊維の表面を導電性物質を含む樹脂で被覆したもの，などを例示することができる。
【００２７】
本発明にかかる手袋の効果を確認するために行った試験方法及び結果について説明する。
（試験項目）摩擦力試験
（試験目的）本発明にかかる手袋の摩擦力を検証することを目的とする。
（試験方法）インストロン５５６５型試験機を用いて、スマホカバーと本発明の手袋（割繊糸２本使用）、従来品の手袋（ａ）市販のアクリル１００％使用スマホ対応手袋、従来品の手袋（ｂ）市販のポリエステル１００％使用スマホ対応手袋、従来品の手袋（ｃ）市販のアクリル６０％・ウール４０％使用スマホ対応手袋、従来品の手袋（ｄ）市販の綿１００％使用スマホ対応手袋の摩擦力を測定した（引張速度：１００ｍｍ／ｍｉｎ、すべり片の質量：２００ｇ、すべり片の面積：４０ｃｍ２）。
（試験結果）摩擦力試験の測定結果を表１に示す。表１に示すとおり、本発明にかかる手袋は、従来品の手袋に比べて摩擦力が１．７〜２．４倍大きいことが確認できた。
【００２８】
【表１】
2015108207.tif 000003
【符号の説明】
【００２９】
１  表糸
２  裏糸
１０  手袋
１１  本体部
１２  指先部
１３  先端部
１４  手首部
【図１】
2015108207.tif 000004
【図２】
2015108207.tif 000005
【図３】
2015108207.tif 000006
【図４】
2015108207.tif 000007